(57)【要約】【課題】  無線基地局と、無線基地局によって割り当てられた周波数で無線基地局と通信する無線通信端末とを具備する無線通信システムにおいて、無線通信端末周波数特性を考慮した周波数の割り当てを行うことで、安定した通信を実現可能とする。【解決手段】  無線基地局と、前記無線基地局によって割り当てられた周波数で前記無線基地局と通信する無線通信端末とを具備する無線通信システムに適用される無線通信方法であって、前記無線通信端末に割り当て可能な複数の周波数において、前記無線通信端末の周波数特性を周波数毎に測定するステップと、前記周波数特性に応じて、前記無線通信端末に周波数を割り当てるステップとを備える。【選択図】    図１０
2008206023.tif 000002
【特許請求の範囲】
【請求項１】
無線基地局と、前記無線基地局によって割り当てられた周波数で前記無線基地局と通信する無線通信端末とを具備する無線通信システムに適用される無線通信方法であって、
前記無線通信端末に割り当て可能な複数の周波数において、前記無線通信端末の周波数特性を周波数毎に測定するステップと、
前記周波数特性に応じて、前記無線通信端末に周波数を割り当てるステップと
を備えることを特徴とする無線通信方法。
【請求項２】
前記割り当てるステップでは、予め設定された閾値を下回る前記周波数特性に対応する周波数よりも、前記閾値以上の前記周波数特性に対応する周波数を優先して前記無線通信端末に割り当てることを特徴とする請求項１に記載の無線通信方法。
【請求項３】
前記割り当てるステップでは、前記閾値を下回る前記周波数特性に対応する周波数を、前記無線通信端末に割り当て可能な周波数から除外することを特徴とする請求項２に記載の無線通信方法。
【請求項４】
前記周波数特性を測定するステップは、前記無線通信端末によって実行され、
前記割り当てるステップは、
前記無線通信端末が、前記周波数特性に応じて、少なくとも１つの周波数を前記無線基地局に通知するステップと、
前記無線基地局が、前記無線通信端末によって通知された周波数から、前記無線通信端末に割り当てる周波数を選択するステップと
を備えることを特徴とする請求項１に記載の無線通信方法。
【請求項５】
前記通知するステップでは、予め設定された閾値以上の前記周波数特性に対応する少なくとも１つの周波数を前記無線基地局に通知することを特徴とする請求項４に記載の無線通信方法。
【請求項６】
前記周波数特性を測定するステップは、前記無線通信端末によって実行され、
前記割り当てるステップは、
前記無線通信端末が、前記周波数特性に応じて、周波数を前記無線基地局に通知するステップと、
前記無線基地局が、前記無線通信端末によって通知された周波数を、前記無線通信端末に割り当て可能な周波数から除外するステップと
を備えることを特徴とする請求項１に記載の無線通信方法。
【請求項７】
前記通知するステップでは、予め設定された閾値を下回る前記周波数特性に対応する周波数を前記無線基地局に通知することを特徴とする請求項６に記載の無線通信方法。
【請求項８】
前記周波数特性を測定するステップは、前記無線通信端末によって実行され、
前記割り当てるステップは、
前記無線通信端末が、測定された前記周波数特性を前記無線基地局に通知するステップと、
前記無線基地局が、前記無線通信端末によって通知された前記周波数特性に基づき、前記無線通信端末に周波数を割り当てるステップと
を備えることを特徴とする請求項１に記載の無線通信方法。
【請求項９】
前記割り当てるステップでは、予め設定された閾値を下回る前記周波数特性に対応する周波数よりも、前記閾値以上の前記周波数特性に対応する周波数を優先して前記無線通信端末に割り当てることを特徴とする請求項８に記載の無線通信方法。
【請求項１０】
前記周波数特性を測定するステップは、前記無線基地局によって実行され、
前記割り当てるステップでは、前記無線基地局が、前記周波数特性に応じて、前記無線通信端末に割り当てる周波数を選択することを特徴とする請求項１に記載の無線通信方法。
【請求項１１】
前記割り当てるステップでは、前記無線基地局が、前記閾値以上の前記周波数特性に対応する少なくとも１つの周波数から、前記無線通信端末に割り当てる周波数を選択することを特徴とする請求項１０に記載の無線通信方法。
【請求項１２】
前記周波数特性を測定するステップは、
前記無線基地局と前記無線通信端末との間の通信に使用される周波数の周波数特性を前記周波数毎に測定するステップと、
測定された前記周波数毎の周波数特性の変動速度を測定するステップと、
測定された前記変動速度に基づいて、前記無線通信端末の前記周波数特性を算出するステップと
を備えることを特徴とする請求項１に記載の無線通信方法。
【請求項１３】
前記無線通信端末の前記周波数特性を算出するステップは、
測定された前記変動速度を所定値と比較するステップと、
前記所定値を下回る前記変動速度に対応する周波数のチャネル特性から前記周波数特性を算出するステップと
を備えることを特徴とする請求項１２に記載の無線通信方法。
【請求項１４】
前記無線通信端末の移動速度を測定するステップをさらに備え、
前記周波数特性を測定するステップは、測定された前記移動速度に応じて、前記無線通信端末に周波数を割り当てることを特徴とする請求項１に記載の無線通信方法。
【請求項１５】
無線基地局によって割り当てられた周波数で前記無線基地局と通信する無線通信端末であって、
前記無線基地局によって割り当て可能な複数の周波数において、前記無線通信端末の周波数特性を測定する測定部と、
前記周波数特性に応じて、少なくとも１つの割り当て候補の周波数を前記無線基地局に通知する通知部と
を備えることを特徴とする無線通信端末。
【請求項１６】
前記通知部は、予め設定された閾値を下回る前記周波数特性に対応する周波数よりも、前記閾値以上の前記周波数特性に対応する周波数を優先して前記無線基地局に通知することを特徴とする請求項１５に記載の無線通信端末。
【請求項１７】
無線通信端末が通信に使用する周波数を前記無線通信端末に割り当てると共に、割り当てた周波数で前記無線通信端末と通信する無線基地局であって、
周波数毎の前記無線通信端末の周波数特性を取得する取得部と、
前記周波数特性に応じて、前記無線通信端末に周波数を割り当てる割り当て部と
を備えることを特徴とする無線基地局。
【請求項１８】
前記割り当て部は、予め設定された閾値を下回る前記周波数特性に対応する周波数よりも、前記閾値以上の前記周波数特性に対応する周波数を優先して前記無線通信端末に割り当てることを特徴とする請求項１７に記載の無線基地局。
【発明の詳細な説明】
【技術分野】
【０００１】
本発明は、無線基地局と、無線基地局によって動的に割り当てられた周波数で無線基地局と通信する無線通信端末とを具備する無線通信システムに適用される無線通信方法、無線通信端末及び無線基地局に関する。
【背景技術】
【０００２】
マルチパス耐性に優れ、高速なデータ通信を実現する通信方式としてＯＦＤＭ(Orthogonal Frequency Division Multiplexing)が知られている。ＯＦＤＭでは、互いに位相の直行する複数のサブキャリアを用いて通信が行われる。
【０００３】
ＯＦＤＭを発展させた通信方式としてＯＦＤＭＡ(Orthogonal Frequency Division Multiple Access)が知られている。ＯＦＤＭＡでは、無線基地局は、複数のサブキャリアからなるサブチャネルを各無線通信端末に動的に割り当てる。
【０００４】
各無線通信端末にサブチャネルが割り当てられるため、複数の無線通信端末が同時に通信を行うことができる。さらに、サブチャネル単位で無線通信端末への割り当てができるため、サブチャネル単位での適応変調・符号化（以下、「ＡＭＣ」）が可能である。
【０００５】
ＡＭＣでは、無線通信端末と無線基地局との間の伝搬路の状態（以下、「チャネル特性」という）に応じて、変調方式及び符号化方式が適応的に変化する。このため、チャネル特性が良好な場合には高速な通信が実現される。
【０００６】
ＯＦＤＭＡ及びＡＭＣを使用する無線通信システムとして、ＷｉＭＡＸ（登録商標）システムが提案されている（例えば、非特許文献１，２参照。）。ＷｉＭＡＸシステムでは、無線通信端末によって測定されたチャネル特性、具体的には、ＣＩＮＲ（Carrier to Interference and Noise Ratio）に応じて、無線基地局による動的チャネル割り当て（以下、「ＤＣＡ」）が行われる。
【０００７】
図１は、ＷｉＭＡＸ規格に準拠したフレーム構成を示す図である。図１に示す通信フレームは、ダウンリンク（以下、「ＤＬ」）の通信に用いられるＤＬサブフレームと、上りリンク（以下、「ＵＬ」）の通信に用いられるＵＬサブフレームとを有する。ＤＬサブフレーム及びＵＬサブフレームは、１フレーム期間内に時分割で設けられる。すなわち、ＤＬ及びＵＬの通信が互いに異なる時間帯で行われる。
【０００８】
さらに、ＤＬサブフレームは、ＡＭＣを用いない時間領域であるブロードキャスト＆ノーマルサブチャネルゾーンと、ＡＭＣを用いる時間領域であるＤＬバンドＡＭＣゾーンとを有する。同様に、ＵＬサブフレームは、ＡＭＣを用いない時間領域であるノーマルサブチャネルゾーンと、ＡＭＣを用いる時間領域であるＵＬバンドＡＭＣゾーンとを有する。
【０００９】
ＤＬバンドＡＭＣゾーン及びＵＬバンドＡＭＣゾーンは、周波数毎に分割された複数のサブチャネル（以下、「ＡＭＣバンド」）を有する。ＡＭＣバンドを用いて無線通信端末と無線基地局とが通信するモードは、「バンドＡＭＣモード」と呼ばれる。
【００１０】
次に、ＷｉＭＡＸシステムにおけるＡＭＣバンドの割り当て及び解除動作について簡単に説明する。図２は、ＷｉＭＡＸシステムにおけるＡＭＣバンドの割り当て及び解除動作を示すシーケンス図である。
【００１１】
ステップＳ１１０及びステップＳ１１０において、無線基地局及び無線通信端末は、接続を確立すると共に、ネゴシエーションを行う。
【００１２】
無線通信端末は、周波数毎の標準偏差が小さく、かつ、全周波数域についての平均ＣＩＮＲが大きい場合、すなわち、周波数毎のＣＩＮＲが安定しており、かつ、全周波数の通信品質が良い場合、バンドＡＭＣモードへの移行要求を無線基地局へ送信する。
【００１３】
ステップＳ１３０において、無線基地局は、無線通信端末からのバンドＡＭＣモードへの移行要求に応じて、ＡＭＣバンドを無線通信端末に割り当てる。
【００１４】
未割り当てのＡＭＣバンドの平均ＣＩＮＲが、割り当てられたＡＭＣバンドのＣＩＮＲよりも大きい場合、無線通信端末は、ＡＭＣバンドの変更要求を無線基地局へ送信する。
【００１５】
ステップＳ１４０において、無線基地局は、無線通信端末からのＡＭＣバンドの変更要求に応じて、他の周波数のＡＭＣバンドを無線通信端末に割り当てる。
【００１６】
ステップＳ１５０において、無線基地局は、無線通信端末からのバンドＡＭＣモードの解除要求に応じて、無線通信端末へのＡＭＣバンドの割り当てを解除する。
【００１７】
なお、無線通信端末は、バンドＡＭＣモードへの移行要求時やＡＭＣバンドの変更要求時に、その時点でチャネル特性が良い上位の複数サブチャネルを、無線基地局に通知する。無線基地局は、通知された複数サブチャネルから、無線通信端末に割り当てるサブチャネルを選択する。
【非特許文献１】IEEE Std 802.16e 2005
【非特許文献２】IEEE Std 802.16-2004/Cor1-2005
【発明の開示】
【発明が解決しようとする課題】
【００１８】
図２に示したようなＤＣＡでは、ＣＩＮＲのみをチャネル特性（周波数特性）としてまとめて評価している。しかし、周波数選択性に代表されるチャネル特性の変動が、何に起因するものかの判定が難しいという問題がある。チャネル特性は様々な要因によって変化するため、各要因について個別に考慮することが必要である。
【００１９】
図３（ａ）に示すように、無線通信端末１０の周波数特性を“ＨＭＳ”、伝搬路３０の周波数特性を“Ｈｐｒｏｐ”、無線基地局２０の周波数特性を“ＨＢＳ”とすると、チャネル特性（周波数特性）Ｈは、次のように定義できる。
【００２０】
Ｈ＝ＨＭＳ×Ｈｐｒｏｐ×ＨＢＳ      ・・・（１）
無線通信端末１０では、無線通信端末１０の使用状況（例えば、無線通信端末１０が人体に接近したり、金属製の机の上に置かれたりすることなど）や、無線通信端末１０のハードウェア特性（アンテナ部１１及びＲＦ部１２などの特性）によって、図３（ｂ）に示すように、特定のサブチャネル（周波数）で周波数特性ＨＭＳが劣化することがある。
【００２１】
伝搬路３０では、無線通信端末１０の移動や電波干渉によって伝搬路３０の状況が頻繁に変動するので、図３（ｃ）に示すように、すべてのサブチャネル（周波数）で周波数特性Ｈpropが安定しない。
【００２２】
無線基地局２０では、無線基地局２０の使用状況や、無線基地局２０のハードウェア特性（アンテナ部２１及びＲＦ部２２などの特性）が安定するよう管理されているので、図３（ｄ）に示すように、すべてのサブチャネル（周波数）で周波数特性ＨＢＳが安定している。
【００２３】
このような状況で、図４に示すように、ある時点で偶然ＣＩＮＲ測定値が良いため、無線通信端末１０の周波数特性ＨＭＳが悪いサブチャネルを通信用のチャネルとして割り当ててしまうと、結果的に性能の劣化や、割り当て要求のやり取りの増加によるトラヒックの圧迫などの問題が生じる。
【００２４】
具体的には、無線通信端末１０の周波数特性ＨＭＳが劣化しているサブチャネル（周波数）であっても、伝搬路３０の周波数特性Ｈｐｒｏｐが良好であれば、チャネル特性Ｈに基づいて当該チャネルが通信用のチャネルとして割り当てられる可能性がある。しかし、無線通信端末１０の周波数特性ＨＭＳが劣化しているサブチャネルでは、周波数特性ＨＭＳが劣化した状態が維持されるので、当該チャネルを通信用のチャネルとして使用する場合、通信が不安定又は継続不能となる。
【００２５】
また、図５に示すように、伝搬路３０の周波数特性Ｈｐｒｏｐの平均ＣＩＮＲが十分高く、ＡＭＣでの運用に十分耐えられる場合であっても、無線通信端末１０の周波数特性ＨＭＳが悪いために所定の平均ＣＩＮＲを上回ることができず、ＡＭＣへの移行（エントリ）ができなくなり、結果としてシステムの潜在的なパフォーマンスを発揮しきれないという問題がある。
【００２６】
なお、広帯域化が進んだ場合に、あらゆる使用環境における無線通信端末１０の周波数特性ＨＭＳを、工場出荷時のチューニングのみで、全ての周波数で満足させることは困難である。上記のような問題は、ＷｉＭＡＸシステムに限らず、ＦＤＭＡ（Frequency Division Multiple Access）を採用する無線通信システムなどにおいても発生し得る。
【００２７】
上記問題点に鑑み、本発明は、無線基地局と、無線基地局によって割り当てられた周波数で無線基地局と通信する無線通信端末とを具備する無線通信システムにおいて、無線通信端末の周波数特性を考慮した周波数の割り当てを行うことで、安定した通信を実現可能な無線通信方法、無線通信端末及び無線基地局を提供することを目的とする。
【課題を解決するための手段】
【００２８】
上記目的を達成するために、本発明の第１の特徴は、無線基地局と、前記無線基地局によって割り当てられた周波数で前記無線基地局と通信する無線通信端末とを具備する無線通信システムに適用される無線通信方法であって、前記無線通信端末に割り当て可能な複数の周波数において、周波数毎の前記無線通信端末の周波数特性を測定するステップと、前記周波数特性に応じて、前記無線通信端末に周波数を割り当てるステップとを備えることを要旨とする。
【００２９】
このような特徴によれば、端末の周波数特性を考慮した周波数割り当てを行うことで、安定した通信を実現可能な通信方法が提供される。
【００３０】
本発明の第２の特徴は、本発明の第１の特徴に係り、前記割り当てるステップでは、予め設定された閾値を下回る前記周波数特性に対応する周波数よりも、前記閾値以上の前記周波数特性に対応する周波数を優先して前記無線通信端末に割り当てることを要旨とする。
【００３１】
このような特徴によれば、無線通信端末の通信特性が劣化する周波数帯を極力使用せず、無線通信端末の通信特性が良好である周波数帯を使用する。したがって、通信が不安定又は継続不能となることが回避され、安定した通信が実現される。
【００３２】
本発明の第３の特徴は、本発明の第２の特徴に係り、前記割り当てるステップでは、前記閾値を下回る前記周波数特性に対応する周波数を、前記無線通信端末に割り当て可能な周波数から除外することを要旨とする。
【００３３】
このような特徴によれば、閾値を下回る端末周波数特性に対応する周波数帯を、無線通信端末に割り当て可能な周波数帯から除外することによって、無線通信端末の通信特性が劣化する周波数帯が除外された状態で、チャネル特性を評価可能となる。つまり、チャネル特性から伝搬路の特性を切り出して評価可能となるので、システムの潜在的なパフォーマンスを十分に発揮することができる。
【００３４】
本発明の第４の特徴は、本発明の第１の特徴に係り、前記周波数特性を測定するステップは、前記無線通信端末によって実行され、前記割り当てるステップは、前記無線通信端末が、前記周波数特性に応じて、少なくとも１つの周波数を前記無線基地局に通知するステップと、前記無線基地局が、前記無線通信端末によって通知された周波数から、前記無線通信端末に割り当てる周波数を選択するステップとを備えることを要旨とする。
【００３５】
本発明の第５の特徴は、本発明の第４の特徴に係り、前記通知するステップでは、予め設定された閾値以上の前記周波数特性に対応する少なくとも１つの周波数を前記無線基地局に通知することを要旨とする。
【００３６】
本発明の第６の特徴は、本発明の第１の特徴に係り、前記周波数特性を測定するステップは、前記無線通信端末によって実行され、前記割り当てるステップは、前記無線通信端末が、前記周波数特性に応じて、周波数を前記無線基地局に通知するステップと、前記無線基地局が、前記無線通信端末によって通知された周波数を、前記無線通信端末に割り当て可能な周波数から除外するステップとを備えることを要旨とする。
【００３７】
本発明の第７の特徴は、本発明の第６の特徴に係り、前記通知するステップでは、予め設定された閾値を下回る前記周波数特性に対応する周波数を前記無線基地局に通知することを要旨とする。
【００３８】
本発明の第８の特徴は、本発明の第１の特徴に係り、記周波数特性を測定するステップは、前記無線通信端末によって実行され、前記割り当てるステップは、前記無線通信端末が、測定された前記周波数特性を前記無線基地局に通知するステップと、前記無線基地局が、前記無線通信端末によって通知された前記周波数特性に基づき、前記無線通信端末に周波数を割り当てるステップとを備えることを要旨とする。
【００３９】
本発明の第９の特徴は、本発明の第８の特徴に係り、前記割り当てるステップでは、予め設定された閾値を下回る前記周波数特性に対応する周波数よりも、前記閾値以上の前記周波数特性に対応する周波数を優先して前記無線通信端末に割り当てることを要旨とする。
【００４０】
本発明の第１０の特徴は、本発明の第１の特徴に係り、前記周波数特性を測定するステップは、前記無線基地局によって実行され、前記割り当てるステップでは、前記無線基地局が、前記周波数特性に応じて、前記無線通信端末に割り当てる周波数を選択することを要旨とする。
【００４１】
本発明の第１１の特徴は、本発明の第１の特徴に係り、前記割り当てるステップでは、前記無線基地局が、前記閾値以上の前記周波数特性に対応する少なくとも１つの周波数から、前記無線通信端末に割り当てる周波数を選択することを要旨とする。
【００４２】
本発明の第１２の特徴は、本発明の第１の特徴に係り、前記周波数特性を測定するステップは、前記無線基地局と前記無線通信端末との間の通信に使用される周波数の周波数特性を前記周波数毎に測定するステップと、測定された前記周波数毎の周波数特性の変動速度を測定するステップと、測定された前記変動速度に基づいて、前記無線通信端末の前記周波数特性を算出するステップとを備えることを要旨とする。
【００４３】
本発明の第１３の特徴は、本発明の第１２の特徴に係り、前記無線通信端末の前記周波数特性を算出するステップは、測定された前記変動速度を所定値と比較するステップと、前記所定値を下回る前記変動速度に対応する周波数のチャネル特性から前記周波数特性を算出するステップとを備えることを要旨とする。
【００４４】
本発明の第１４の特徴は、本発明の第１の特徴に係り、前記無線通信端末の移動速度を測定するステップをさらに備え、前記周波数特性を測定するステップは、測定された前記移動速度に応じて、前記無線通信端末に周波数を割り当てることを要旨とする。
【００４５】
本発明の第１５の特徴は、無線基地局によって割り当てられた周波数で前記無線基地局と通信する無線通信端末であって、前記無線基地局によって割り当て可能な複数の周波数において、前記無線通信端末の周波数特性を測定する測定部と、前記周波数特性に応じて、少なくとも１つの割り当て候補の周波数を前記無線基地局に通知する通知部とを備えることを要旨とする。
【００４６】
本発明の第１６の特徴は、本発明の第１５の特徴に係り、前記通知部は、予め設定された閾値を下回る前記端末周波数特性に対応する周波数よりも、前記閾値以上の前記端末周波数特性に対応する周波数を優先して前記無線基地局に通知することを要旨とする。
【００４７】
本発明の第１７の特徴は、無線通信端末が通信に使用する周波数を前記無線通信端末に割り当てると共に、割り当てた周波数で前記無線通信端末と通信する無線基地局であって、周波数毎の前記無線通信端末の周波数特性を取得する取得部と、前記周波数特性に応じて、前記無線通信端末に周波数を割り当てる割り当て部とを備えることを要旨とする。
【００４８】
本発明の第１８の特徴は、本発明の第１７の特徴に係り、前記割り当て部は、予め設定された閾値を下回る前記端末周波数特性に対応する周波数よりも、前記閾値以上の前記端末周波数特性に対応する周波数を優先して前記無線通信端末に割り当てることを要旨とする。
【発明の効果】
【００４９】
本発明によれば、無線基地局と、無線基地局によって割り当てられた周波数で無線基地局と通信する無線通信端末とを具備する無線通信システムにおいて、無線通信端末の周波数特性を考慮した周波数の割り当てを行うことで、安定した通信を実現可能な無線通信方法、無線通信端末及び無線基地局を提供できる。
【発明を実施するための最良の形態】
【００５０】
次に、図面を参照して、本発明の実施形態を説明する。以下の実施形態における図面の記載において、同一又は類似の部分には同一又は類似の符号を付している。
【００５１】
（１）無線通信システムの構成
（１．１）無線通信システムの概略構成
まず、本実施形態に係る無線通信システムの概略構成について説明する。図６は、本実施形態に係る無線通信システムの概略構成図である。
【００５２】
図１に示すように、本実施形態に係る無線通信システムは、無線通信端末１００及び無線基地局２００を備える。無線通信端末１００及び無線基地局２００は、伝搬路３００を介して無線通信を行う。
【００５３】
無線通信端末１００及び無線基地局２００は、ＷｉＭＡＸ規格に基づく構成を有している。具体的には、無線通信端末１００及び無線基地局２００は、上述したＯＦＤＭＡ及びＡＭＣをサポートしている。すなわち、無線通信端末１００及び無線基地局２００は、図１に示したフレーム構成の無線信号によって通信を行う。
【００５４】
また、本実施形態に係る無線通信システムでは、チャネル特性の測定をＣＩＮＲの測定値のやり取りによって行う。なお、ＣＩＮＲの測定値やサブチャネル（周波数）に関する通知はＲＥＰ−ＲＥＱやＲＥＰ−ＲＳＰというＭＡＣメッセージを介して行われる。
【００５５】
（１．２）無線通信端末の構成
次に、無線通信端末１００の構成について説明する。図７は、無線通信端末１００の機能ブロック図である。
【００５６】
図７に示すように、無線通信端末１００は、アンテナ部１１０、無線通信部１２０、変動速度算出部１３０、変動速度フィルタ部１４０、測定部１５０、制御部１６０及び通知部１７０を備える。
【００５７】
無線通信部１２０は、無線基地局２００との間でＯＦＤＭＡに従った無線信号を、アンテナ部１１０を介して送受信する。無線通信部１２０は、無線基地局２００から受信した無線信号からＣＩＮＲを測定するＣＩＮＲ測定部１２１を備える。
【００５８】
変動速度算出部１３０は、ＣＩＮＲ測定部１２１によって測定されたＣＩＮＲの変動速度、具体的には、ＣＩＮＲの標準偏差をサブチャネル（周波数）毎に算出する。
【００５９】
変動速度フィルタ部１４０は、変動速度算出部１３０によってサブチャネル毎に算出された変動速度を所定値と比較し、所定値を下回るサブチャネルと所定値以上のサブチャネルとを分離する。
【００６０】
測定部１５０は、伝搬路周波数特性測定部１５１及び端末周波数特性測定部１５２を備える。伝搬路周波数特性測定部１５１は、変動速度が所定値以上であるサブチャネルのＣＩＮＲから、伝搬路３００の周波数特性（以下、「伝搬路周波数特性」）を測定する。
【００６１】
端末周波数特性測定部１５２は、変動速度が所定値を下回るサブチャネルのＣＩＮＲから、無線通信端末１００自身の周波数特性（以下、「端末周波数特性」）を測定する。すなわち、端末周波数特性とは、無線通信端末１００の周波数毎の通信特性である。端末周波数特性の詳細な説明については後述する。
【００６２】
制御部１６０は、無線通信端末１００の各機能ブロックを制御する。制御部１６０は、伝搬路周波数特性測定部１５１によって測定された伝搬路周波数特性と、端末周波数特性測定部１５２によって測定された端末周波数特性とに基づき、要求部１７０及び無線通信部１２０を制御し、無線基地局２００との通信を制御する。
【００６３】
通知部１７０は、制御部１６０の制御下で、無線通信部１２０を介して無線基地局２００に各種の要求、具体的には、バンドＡＭＣモードへの移行要求、バンド変更要求及びバンドＡＭＣモードの解除要求を通知する。
【００６４】
次に、無線通信端末１００の使用状況と端末周波数特性との関係について説明する。図８は、無線通信端末１００の使用状況と端末周波数特性との関係を説明するための図である。
【００６５】
図８に示すように、無線通信端末１００の周辺には、通常、近接物や接触物が存在する。このため、近接物や接触物が存在しない場合の端末周波数特性がフラットな周波数特性であっても、近接物や接触物の影響で、特定のサブチャネル（周波数）において周波数特性が劣化する。
【００６６】
さらに、無線通信端末１００のアンテナ部１１０や、無線通信部１２０内のＲＦ部などのハードウェア特性によっても、特定のサブチャネル（周波数）において周波数特性が劣化することがある。
【００６７】
無線通信端末１００の近接物や接触物、ハードウェア不良による特定のサブチャネル（周波数）における周波数特性の劣化は、直ぐには回復せず、ある一定期間において持続する。一方で、伝搬路周波数特性は、無線通信端末１００の移動や電波干渉などにより、頻繁に変動する。
【００６８】
よって、本実施形態では、端末周波数特性と伝搬路周波数特性との時間的変化（変動速度）の相違を利用して、端末周波数特性と伝搬路周波数特性とを分離している。
【００６９】
（１．３）無線基地局の構成
次に、無線基地局２００の構成について説明する。図９は、無線基地局２００の機能ブロック図である。
【００７０】
図９に示すように、無線基地局２００は、アンテナ部２１０、無線通信部２２０、割り当て部２３０及び制御部２４０を備える。アンテナ部２１０としては、例えば、アダプティブ・アレイ・アンテナが使用できる。
【００７１】
無線通信部２２０は、無線通信端末１００との間でＯＦＤＭＡに従った無線信号を、アンテナ部２１０を介して送受信する。
【００７２】
割り当て部２３０は、無線通信部２２０が無線通信端末１００から受信した情報に基づき、無線通信端末１００にサブチャネルを割り当てる。
【００７３】
制御部２４０は、無線通信端末１００の各機能ブロックを制御する。
【００７４】
（２）無線通信システムの動作
次に、図１０〜図１２を参照して、上述した無線通信システムの動作について説明する。
【００７５】
（２．１）無線通信システムの概略動作
図１０は、本実施形態に係る無線通信システムの概略動作を示すシーケンス図である。
【００７６】
ステップＳ２１０において、無線通信端末１００のネットワークエントリやハンドオーバにより、無線基地局２００及び無線通信端末１００は接続を確立する。
【００７７】
ステップＳ２２０において、無線基地局２００及び無線通信端末１００は、無線通信端末１００及び無線基地局２００がサポートする機能（変調方式や符号化方式）についてネゴシエーションを行う。
【００７８】
さらに、無線基地局２００は、無線通信端末１００にサブチャネルを割り当てる。この時点では、無線通信端末１００には、ＡＭＣバンドは割り当てられず、図１に示したブロードキャスト＆ノーマルサブチャネルゾーン中のサブチャネル（下りバースト）と、ノーマルサブチャネルゾーン中のサブチャネル（上りバースト）とが割り当てられる。
【００７９】
また、無線通信端末１００がＤＣＡをサポートしている場合、無線通信端末１００は、ＤＬサブフレームのプリアンブル、特定のゾーン内のパイロット情報又はデータ情報からＣＩＮＲを測定し始める。同時に、無線通信端末１００は、上述した端末周波数特性の測定を開始する。
【００８０】
そして、サブチャネル（周波数）毎の標準偏差が所定値よりも小さく、かつ、全サブチャネル（周波数）域についての平均ＣＩＮＲが所定値よりも大きい場合、無線通信端末１００は、バンドバンドＡＭＣモードへの移行を決定する。ここで、平均ＣＩＮＲを算出する際には、端末周波数特性が所定の閾値を下回るサブチャネル（以下、「劣化サブチャネル」）を除外し、端末周波数特性が所定の閾値以上であるサブチャネルについて平均ＣＩＮＲを算出する。
【００８１】
以降、無線通信端末１００は、ＣＩＮＲの測定を続けると共に端末周波数特性の測定も続ける。ＣＩＮＲの測定値を無線基地局２００に報告する値は、複数フレームの測定の平均の結果となるが、この報告をした時点で無線通信端末１００におけるＣＩＮＲの測定値はリセットされる。
【００８２】
一方、端末周波数特性については、長期的な観点から計測を行う必要がある場合は、特別な場合を除いてリセットされることはない。特別な場合とは、明らかに無線通信端末１００の端末周波数特性が変化する状況を感知した場合であり、例えば人体の接近、金属製の机との接触などである。
【００８３】
ステップＳ２３１において、無線通信端末１００は、無線基地局２００からのＲＥＰ−ＲＥＱ無しで、ＲＥＰ−ＲＳＰメッセージをバンドＡＭＣモードへの移行要求として送信する。この時、ＲＥＰ−ＲＳＰメッセージには、最もＣＩＮＲの測定値が良い５つのサブチャネル（周波数）を識別する情報と、当該５つの周波数の各ＣＩＮＲ測定値が含まれる。以下においては、ＣＩＮＲの測定値が良い５つのサブチャネル（周波数）を「候補サブチャネル」と呼ぶ。
【００８４】
ここで、候補サブチャネルを選択する際には、劣化サブチャネルは選択対象から除外される。すなわち、劣化サブチャネルが、その他のサブチャネル（周波数）における伝搬路周波数特性の悪化により、一時的にＣＩＮＲが良くなり、候補サブチャネルの１つに選択され得る場合でも、無線通信端末１００は、劣化サブチャネルを候補サブチャネルとして選択しない。
【００８５】
ステップＳ２３２において、無線基地局２００は、バンドＡＭＣモードへの移行許可を示すＭＡＣ  ＰＤＵ（ｐｒｏｔｏｃｌ  ｄａｔａ  ｕｎｉｔ）を無線通信端末１００へ送信する。
【００８６】
ステップＳ２３３において、無線基地局２００は、ＡＭＣバンドを無線通信端末１００に割り当てる。この結果、無線基地局２００及び無線通信端末１００間の通信にＡＭＣが適用される。
【００８７】
ステップＳ２４１において、無線基地局２００に前回報告した候補サブチャネル以外で、少なくとも１つのサブチャネル（周波数）の平均ＣＩＮＲが、ある一定フレームの間、前回報告した候補サブチャネルの平均ＣＩＮＲを上回った場合、無線通信端末１００は、候補サブチャネルの識別情報と、それぞれのＣＩＮＲ測定値が含まれているＲＥＰ−ＲＳＰメッセージを無線基地局２００の要求無しに送信する。ステップＳ２３１と同様に、候補サブチャネルからは、劣化サブチャネルが除外されている。
【００８８】
ステップＳ２４２において、無線基地局２００は、バンドＡＭＣモードへの移行許可を示すＭＡＣ  ＰＤＵを無線通信端末１００へ送信する。
【００８９】
ステップＳ２４３において、無線基地局２００は、無線通信端末１００に割り当てられているＡＭＣバンドと異なるＡＭＣバンドを無線通信端末１００に割り当てる。
【００９０】
ステップＳ２５１において、ＣＩＮＲの標準偏差が最大であるサブチャネル（周波数）において、その標準偏差が、少なくともある一定フレーム以上に渡って基準値より高い場合、無線通信端末１００は、バンドＡＭＣモードの解除要求を無線基地局２００へ送信する。
【００９１】
ステップＳ２５２において、無線基地局２００は、ノーマルサブチャネル（バースト）を無線通信端末１００に割り当てる。そして、無線通信端末１００は、バンドＡＭＣモードにからノーマルサブチャネルモードへ移行する。
【００９２】
（２．２）無線通信端末の動作
次に、無線通信端末１００の動作について説明する。図１１は、無線通信端末１００の動作を示すフローチャートである。
【００９３】
（２．２．１）バンドＡＭＣモードへの移行要求動作
ステップＳ３１１及びステップＳ３１２において、無線通信端末１００は、無線基地局２００との間で接続の確立及びネゴシエーションを実行する。
【００９４】
ステップＳ３１３において、無線通信端末１００は、全サブチャネル（周波数）について測定されたＣＩＮＲに基づき、サブチャネル（周波数）毎の標準偏差と、全サブチャネル（周波数）の平均ＣＩＮＲを測定する。
【００９５】
ステップＳ３１４において、無線通信端末１００は、端末周波数特性をサブチャネル（周波数）毎に測定する。また、無線通信端末１００は、劣化サブチャネルを検出する。
【００９６】
ステップＳ３１５において、無線通信端末１００は、無線基地局２００からＡＭＣバンドが割り当てられているか否かを判定する。ＡＭＣバンドが既に割り当てられている場合、ステップＳ３２１の処理に進む。一方、ＡＭＣバンドが割り当てられていない場合、ステップＳ３１３の処理に進む。
【００９７】
ステップＳ３１６において、無線通信端末１００は、ステップＳ３１４で検出された劣化サブチャネルを除外し、残った全サブチャネル（周波数）の周波数の平均ＣＩＮＲを算出する。
【００９８】
ステップＳ３１７において、無線通信端末１００は、ステップＳ３１６で算出された平均ＣＩＮＲを閾値ＣＩＮＲｔｈｒｅｓｈｏｌｄと比較する。さらに、無線通信端末１００は、ステップＳ３１３で測定されたサブチャネル（周波数）毎の標準偏差のうちで最大の標準偏差を閾値Ｓ．Ｄ．ｔｈｒｅｓｈｏｌｄと比較する。
【００９９】
平均ＣＩＮＲが閾値ＣＩＮＲｔｈｒｅｓｈｏｌｄよりも大きく、かつ最大の標準偏差がＳ．Ｄ．ｔｈｒｅｓｈｏｌｄよりも小さい場合、ステップＳ３１８の処理に進む。一方、平均ＣＩＮＲが閾値ＣＩＮＲｔｈｒｅｓｈｏｌｄ以下である、又は最大の標準偏差がＳ．Ｄ．ｔｈｒｅｓｈｏｌｄ以上である場合、ステップＳ３１３に処理が戻る。
【０１００】
ステップＳ３１８において、無線通信端末１００は、平均ＣＩＮＲが閾値ＣＩＮＲｔｈｒｅｓｈｏｌｄよりも大きく、かつ最大の標準偏差がＳ．Ｄ．ｔｈｒｅｓｈｏｌｄよりも小さい状態が、一定フレームに渡って維持されているか否かを判定する。当該状態が一定フレームに渡って維持されている場合、ステップＳ３１９の処理に進む。一方、当該状態が一定フレームに渡って維持されない場合、ステップＳ３１３に処理が戻る。
【０１０１】
ステップＳ３１９において、無線通信端末１００は、バンドＡＭＣモードへの移行要求を無線基地局２００に送信する。バンドＡＭＣモードへの移行要求には、劣化サブチャネルを除いた候補サブチャネルの情報が含まれている。
【０１０２】
（２．２．２）ＡＭＣバンドの変更要求動作
ステップＳ３２１において、無線通信端末１００は、無線基地局２００に前回報告した候補サブチャネル以外で、少なくとも１つのサブチャネル（周波数）の平均ＣＩＮＲが、前回報告した候補サブチャネルの平均ＣＩＮＲを上回ったか否かを判定する。候補サブチャネル以外の少なくとも１つのサブチャネル（周波数）の平均ＣＩＮＲが前回報告した候補サブチャネルの平均ＣＩＮＲを上回った場合には、ステップＳ３２２の処理に進む。
【０１０３】
ステップＳ３２２において、無線通信端末１００は、候補サブチャネル以外の少なくとも１つのサブチャネル（周波数）の平均ＣＩＮＲが前回報告した候補サブチャネルの平均ＣＩＮＲを上回った状態が、一定フレームに渡って維持されるか否かを判定する。当該状態が維持される場合、ステップＳ３２３の処理に進む。
【０１０４】
ステップＳ３２３において、無線通信端末１００は、ＡＭＣバンドの変更要求を無線基地局２００へ送信する。ＡＭＣバンドの変更要求には、候補サブチャネルの識別情報と、それぞれのＣＩＮＲ測定値が含まれている。
【０１０５】
（２．２．３）バンドＡＭＣモードの解除要求動作
ステップＳ３３１において、ＣＩＮＲの標準偏差が最大であるサブチャネル（周波数）において、その標準偏差が閾値Ｓ．Ｄ．ｔｈｒｅｓｈｏｌｄよりも大きいか否かを判定する。ＣＩＮＲの最大標準偏差が閾値Ｓ．Ｄ．ｔｈｒｅｓｈｏｌｄよりも大きい場合、ステップＳ３３２の処理に進む。
【０１０６】
ステップＳ３３２において、ＣＩＮＲの最大標準偏差が閾値Ｓ．Ｄ．ｔｈｒｅｓｈｏｌｄよりも大きい状態が一定フレーム以上に渡って維持されるか否かを判定する。ＣＩＮＲの最大標準偏差が閾値Ｓ．Ｄ．ｔｈｒｅｓｈｏｌｄよりも大きい状態が一定フレーム以上に渡って維持される場合、ステップＳ３３３の処理に進む。
【０１０７】
ステップＳ３３３において、無線通信端末１００は、バンドＡＭＣモードの解除要求を無線基地局２００へ送信する。
【０１０８】
（２．３）無線基地局の動作
次に、無線基地局２００の動作について説明する。図１２は、無線基地局２００の動作を示すフローチャートである。
【０１０９】
ステップＳ４１０及びステップＳ４２０において、無線基地局２００は、無線基地局２００との間で接続の確立及びネゴシエーションを実行する。
【０１１０】
ステップＳ４３０において、無線基地局２００は、無線通信端末１００から、バンドＡＭＣモードへの移行要求、バンド変更要求、又はバンドＡＭＣモードの解除要求を受信する。バンドＡＭＣモードへの移行要求又はバンド変更要求を受信する場合、無線基地局２００は、候補サブチャネルの情報も併せて受信する。
【０１１１】
ステップＳ４４０において、無線基地局２００は、ステップＳ４３０で受信した候補サブチャネルの情報に基づき、無線通信端末１００及び他の無線通信端末間で、候補サブチャネルが重複するか否かを判定する。無線通信端末１００及び他の無線通信端末間で候補サブチャネルが重複する場合、ステップＳ４５０の処理に進む。無線通信端末１００及び他の無線通信端末間で候補サブチャネルが重複しない場合、ステップＳ４６０の処理に進む。
【０１１２】
ステップＳ４５０において、無線基地局２００は、重複する候補サブチャネルの各ＣＩＮＲの測定値が良い無線通信端末に対して優先的に割り当てる。
【０１１３】
ステップＳ４６０において、無線基地局２００は、ステップＳ４３０で受信した候補サブチャネルのいずれかを無線通信端末１００に割り当てる。
【０１１４】
（３）作用・効果
本実施形態に係る無線通信システムでは、予め設定された閾値を下回る端末周波数特性に対応するサブチャネル（周波数）は、無線通信端末１００に割り当て可能なサブチャネル（周波数）から除外される。具体的には、無線通信端末１００は、無線通信端末１００の通信特性が劣化するサブチャネル（周波数）を割り当て候補サブチャネルとして無線基地局２００に通知しない。
【０１１５】
この結果、無線基地局２００は、無線通信端末１００の通信特性が劣化する周波数を無線通信端末１００に割り当てずに、無線通信端末１００の通信特性が良好である周波数を無線通信端末１００に割り当てる。したがって、無線通信端末１００における通信が不安定又は継続不能となることが回避され、安定した通信が実現される。
【０１１６】
さらに、本実施形態に係る無線通信システムでは、無線通信端末１００の通信特性が劣化するサブチャネル（周波数）が除外された状態で、平均ＣＩＮＲが算出される。つまり、伝搬路３００の特性が切り出して評価されるので、伝搬路３００の特性が良好である場合には、バンドＡＭＣモードへ確実に移行することで、システムの潜在的なパフォーマンスを十分に発揮することができる。
【０１１７】
また、端末周波数特性の劣化が平均ＣＩＮＲに反映されないので、無線通信端末１００のバンド変更要求の送信頻度を削減でき、結果的にＭＡＣメッセージによるトラヒックの増大を抑制することが可能となる。
【０１１８】
［第１変更例］
本変更例では、端末周波数特性と伝搬路周波数特性とに対して重み付けを行う構成について説明する。図１３は、本変更例に係る無線通信端末１００の機能ブロック図である。
【０１１９】
図１３に示すように、無線通信端末１００は、重み設定部１８１と、乗算器１８２，１８３とを備えている点で、上述した実施形態とは異なっている。重み設定部１８１は、図１４に示すように、伝搬路周波数特性には小さい重みを設定し、端末周波数特性には大きい重みを設定する。乗算器１８２は、伝搬路周波数特性に対して重み付けを行う。乗算器１８３は、端末周波数特性に対して重み付けを行う。
【０１２０】
制御部１６０は、重み付けの結果に応じて、無線基地局２００に報告する候補チャネルを選択する。その際、制御部１６０は、図１５に示す優先順位で候補チャネルを選択する。
【０１２１】
具体的には、制御部１６０は、端末周波数特性の良好なサブチャネル（周波数）を最も優先する。次いで、伝搬路周波数特性の良好なサブチャネル（周波数）が優先される。その次に、伝搬路周波数特性の悪いサブチャネル（周波数）が優先される。端末周波数特性の悪いサブチャネル、すなわち劣化サブチャネルは最も優先度が低くなる。
【０１２２】
本変更例によれば、上述した実施形態よりもきめ細かいＤＣＡが可能となり、通信の安定化や、システムパフォーマンスの活用の効果がより大きくなる。
【０１２３】
［第２変更例］
本変更例では、無線通信端末１００が端末周波数特性を無線基地局２００に通知する構成について説明する。図１６は、本変更例に係る無線基地局２００の機能ブロック図である。
【０１２４】
図１６に示すように、本変更例に係る無線基地局２００は、無線通信端末１００から端末周波数特性を取得する取得部２５０を備えている点で、上述した実施形態とは異なっている。また、取得部２５０は、端末周波数特性だけでなく、伝搬路周波数特性を無線通信端末１００から取得してもよい。
【０１２５】
本変更例では、無線通信端末１００は、候補サブチャネルを無線基地局２００に報告せず、端末周波数特性を無線基地局２００に報告する。割り当て部２３０は、無線通信端末１００や他の無線通信端末毎に劣化サブチャネルを把握して、これをサブチャネル割り当ての際に利用する。
【０１２６】
本変更例によれば、劣化サブチャネルへの割り当てを避けることが出来るため、安定した通信が可能になる。なお、第１変更例で説明した重み付けを、本変更例においても適用可能である。
【０１２７】
［第３変更例］
本変更例では、無線基地局２００が端末周波数特性を測定する構成について説明する。図１７は、本変更例に係る無線基地局２００の機能ブロック図である。
【０１２８】
図１７に示すように、本変更例に係る無線基地局２００は、ＣＩＮＲ測定部２２１、変動速度算出部２６０、変動速度フィルタ部２７０及び測定部１８０を備えている点で、上述した実施形態とは異なっている。
【０１２９】
無線通信端末１００についての端末周波数特性及び伝搬路周波数特性を測定する際、無線基地局２００は、全サブチャネル（周波数）で無線信号を送信するよう無線通信端末１００に要求する。
【０１３０】
ＣＩＮＲ測定部２２１、変動速度算出部２６０、変動速度フィルタ部２７０及び測定部１８０は、上述した実施形態と同様にして、端末周波数特性及び伝搬路周波数特性を測定する。
【０１３１】
本変更例によれば、既存の無線通信端末１００の構成を大幅に変更することなく、上述した実施形態と同様の効果を得ることができる。なお、第１変更例で説明した重み付けを、本変更例においても適用可能である。
【０１３２】
［第４変更例］
本変更例では、無線通信端末１００の移動速度を考慮したサブチャネル割り当てについて説明する。
【０１３３】
本変更例に係る無線基地局２００又は無線通信端末１００は、次の（ａ）又は（ｂ）などの方法で、無線通信端末１００の移動速度を測定する。
【０１３４】
（ａ）無線通信端末１００がＧＰＳ(Global Positioning System)やジャイロセンサ等を具備する場合には、これらを利用して無線通信端末１００が自己の移動速度を測定する。
【０１３５】
（ｂ）無線基地局２００がドップラー周波数と移動速度とを対応付けたテーブルをあらかじめ保持しており、無線通信端末１００からの受信信号のチャネル変動からドップラー周波数を推定し、推定されたドップラー周波数から、上記のテーブルを用いて無線通信端末１００の移動速度を取得する。
【０１３６】
図１８は、本変更例に係るチャネル割り当て動作の動作概略を示すフローチャートである。
【０１３７】
ステップＳ５１０において、無線通信端末１００又は無線基地局２００は、無線通信端末１００の移動速度が閾値Ｖｅｌｏｃｉｔｙｔｈｒｅｓｈｏｌｄよりも小さく、且つチャネル割り当て周期（ＣＩＮＲの測定周期）が所定周期よりも大きいか否かを判定する。
【０１３８】
無線通信端末１００の移動速度が閾値Ｖｅｌｏｃｉｔｙｔｈｒｅｓｈｏｌｄよりも小さく、且つチャネル割り当て周期が所定周期よりも大きい場合、ステップＳ５２０の処理に進む。一方、無線通信端末１００の移動速度が閾値Ｖｅｌｏｃｉｔｙｔｈｒｅｓｈｏｌｄ以上、又はチャネル割り当て周期が所定周期以下である場合、ステップＳ５３０の処理に進む。
【０１３９】
ステップＳ５２０では、端末周波数特性と伝搬路周波数特性とを個別に考慮せず、チャネル特性を利用した従来のＤＣＡが実行される。
【０１４０】
ステップＳ５３０では、端末周波数特性と伝搬路周波数特性とを個別に考慮したＤＣＡが実行される。
【０１４１】
このように、端末の移動速度が低いなどの理由で伝搬路周波数特性の時間変動が、ＣＩＮＲの測定周期に比べて十分遅い場合には、劣化サブチャネルに対しても、上述したような例外的な処理をする必要はない。これにより、無線通信端末１００及び無線基地局２００の処理負荷を軽減することができる。
【０１４２】
なお、バンドＡＭＣモードへの移行の条件となるチャネル特性の測定については、移動速度に関係なく端末周波数特性を考慮する。これにより、バンドＡＭＣモードへの移行に関しては伝搬路周波数特性に準拠することとなり、端末周波数特性の劣化による影響を避けることができる。
【０１４３】
［その他の実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１４４】
上述した実施形態では、無線通信端末１００が候補サブチャネルを無線基地局２００に報告していたが、無線基地局２００に報告すべき情報量が一定量を超える場合には、劣化サブチャネルのみを報告してもよい。これにより、無線基地局２００に報告すべき情報量を一定量未満に抑えることができる。
【０１４５】
上述した実施形態及び変更例では、端末周波数特性と端末周波数特性との変動速度の相違を利用して、端末周波数特性を測定する構成について説明したが、無線通信端末１００のアンテナに方向性結合器を設け、方向性結合器により得られた反射特性（Ｓパラメータ）から端末周波数特性を測定してもよい。あるいは、長期間に渡ってＣＩＮＲを測定して平均することで端末周波数特性を得てもよい。なお、端末周波数特性は無線通信端末１００の使用状況が同じであれば基本的に変動が少ないと考えられるので、前回の通信時に取得した端末周波数特性を初期値として用いてもよい。
【０１４６】
上述した実施形態及び変更例では、チャネル特性としてＣＩＮＲを測定していたが、ＣＩＮＲに限らず、ＳＩＲやＳＮＲを用いてもよい。
【０１４７】
上述した実施形態及び変更例では、ＷｉＭＡＸ規格に基づく無線通信システムについて説明したが、ＷｉＭＡＸ規格に基づく無線通信システムに限らず、無線通信端末毎に異なる周波数を割り当てる無線通信システム、例えば、ＦＤＭＡシステムなどであってもよい。
【０１４８】
あるいは、ＦＤＤに適用する場合には、ＵＬとＤＬで周波数が異なるため、ＤＬでの測定結果は、次フレーム以降のＤＬの割り当てに適用し、ＵＬでの測定結果は、次フレーム以降のＵＬの割り当てに適用する。
【０１４９】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【０１５０】
【図１】ＷｉＭＡＸ規格に準拠したフレーム構成を示す図である。
【図２】ＷｉＭＡＸシステムにおけるＡＭＣバンドの割り当て及び解除動作を示すシーケンス図である。
【図３】無線通信端末の周波数特性、伝搬路の周波数特性及び無線基地局の周波数特性を説明するための図である。
【図４】ＷｉＭＡＸシステムにおけるＤＣＡの問題点を説明するための図である（その１）。
【図５】ＷｉＭＡＸシステムにおけるＤＣＡの問題点を説明するための図である（その２）。
【図６】本発明の実施形態に係る無線通信システムの概略構成図である。
【図７】本発明の実施形態に係る無線通信端末の機能ブロック図である。
【図８】無線通信端末の使用状況と端末周波数特性との関係を説明するための図である。
【図９】本発明の実施形態に係る無線基地局の機能ブロック図である。
【図１０】本発明の実施形態に係る無線通信システムの概略動作を示すシーケンス図である。
【図１１】本発明の実施形態に係る無線通信端末の動作を示すフローチャートである。
【図１２】本発明の実施形態に係る無線基地局の動作を示すフローチャートである。
【図１３】本発明の実施形態の第１変更例に係る無線通信端末の機能ブロック図である。
【図１４】本発明の実施形態の第１変更例に係る重み付け処理を説明するための図である（その１）。
【図１５】本発明の実施形態の第１変更例に係る重み付け処理を説明するための図である（その２）。
【図１６】本発明の実施形態の第２変更例に係る無線基地局の機能ブロック図である。
【図１７】本発明の実施形態の第３変更例に係る無線基地局の機能ブロック図である。
【図１８】本発明の実施形態の第４変更例に係るチャネル割り当て動作の動作概略を示すフローチャートである。
【符号の説明】
【０１５１】
１０…無線通信端末
１１…アンテナ部
１２…ＲＦ部
２０…無線基地局
２１…アンテナ部
２２…ＲＦ部
３０…伝搬路
１００…無線通信端末
１１０…アンテナ部
１２０…無線通信部
１２１…ＣＩＮＲ測定部
１３０…変動速度算出部
１４０…変動速度フィルタ部
１５０…測定部
１５１…伝搬路周波数特性測定部
１５２…端末周波数特性測定部
１６０…制御部
１７０…通知部
１８０…測定部
１８１…重み設定部
１８２，１８３…乗算器
２００…無線基地局
２１０…アンテナ部
２２０…無線通信部
２２１…ＣＩＮＲ測定部
２３０…割り当て部
２４０…制御部
２５０…取得部
２６０…変動速度算出部
２７０…変動速度フィルタ部
３００…伝搬路
【図１】
2008206023.tif 000003
【図２】
2008206023.tif 000004
【図３】
2008206023.tif 000005
【図４】
2008206023.tif 000006
【図５】
2008206023.tif 000007
【図６】
2008206023.tif 000008
【図７】
2008206023.tif 000009
【図８】
2008206023.tif 000010
【図９】
2008206023.tif 000011
【図１０】
2008206023.tif 000012
【図１１】
2008206023.tif 000013
【図１２】
2008206023.tif 000014
【図１３】
2008206023.tif 000015
【図１４】
2008206023.tif 000016
【図１５】
2008206023.tif 000017
【図１６】
2008206023.tif 000018
【図１７】
2008206023.tif 000019
【図１８】
2008206023.tif 000020